(57)【特許請求の範囲】
【請求項１】
被記録媒体に画像を形成する画像形成手段と、
前記画像形成手段に画像を形成させるためのジョブを取得する取得手段と、
前記取得手段により取得されたジョブを記憶する記憶手段と、
前記記憶手段に記憶されているジョブがユーザ認証を必要とするジョブであるか、あるいはユーザ認証を必要としないジョブであるかを判断する判断手段と、
ユーザによる所定の操作によってユーザ認証を行う認証手段と、
前記ジョブが前記ユーザ認証を必要とする場合には、前記認証手段によりユーザ認証が行われたことを条件として前記画像形成手段に当該ジョブに基づく画像の形成を許可し、前記ジョブが前記ユーザ認証を必要としない場合には、前記認証手段によりユーザ認証が行われたことを条件とすることなく前記画像形成手段に当該ジョブに基づく画像の形成を許可する印刷許可手段と、
前記判断手段による判断結果に基づいて、前記認証手段をユーザ認証が可能な動作状態またはユーザ認証が不能な節電状態とする制御手段と、
ユーザの操作によって前記認証手段を前記動作状態とするためのスイッチと、を備える
ことを特徴とする画像形成装置。
【請求項２】
前記制御手段は、前記記憶手段に記憶されているジョブについて、前記判断手段によってユーザ認証を必要とするジョブであると判断された場合に、前記認証手段を前記動作状態とする一方、前記判断手段によってユーザ認証を必要としないジョブであると判断された場合に、前記認証手段を前記節電状態とする
ことを特徴とする請求項１に記載の画像形成装置。
【請求項３】
前記記憶手段に記憶されているジョブが有するユーザ情報を取得するユーザ情報取得手段と、
前記ユーザ情報取得手段により取得されたユーザ情報に基づいて、前記記憶手段に記憶されている全てのジョブのうち、前記判断手段によってユーザ認証を必要とするジョブであると判断された全てのジョブに対応するユーザ数をカウントするユーザ数カウント手段と、をさらに備え、
前記制御手段は、前記記憶手段に記憶されているジョブについて、前記判断手段によってユーザ認証を必要とするジョブであると判断された場合において、前記ユーザ数カウント手段によりカウントされたユーザ数が所定の閾値以上である場合に、前記認証手段を前記動作状態とする一方、前記ユーザ数が所定の閾値未満である場合に、前記認証手段を前記節電状態とする
ことを特徴とする請求項１に記載の画像形成装置。
【請求項４】
前記認証手段によりユーザ認証を行った最新のタイミングからの経過時間をカウントする経過時間カウント手段をさらに備え、
前記制御手段は、前記経過時間カウント手段によりカウントされた経過時間が所定期間を超えた場合に、前記認証手段を前記節電状態とする
ことを特徴とする請求項１から請求項３のいずれか１項に記載の画像形成装置。
【請求項５】
前記ユーザ数カウント手段によりカウントされたユーザ数に応じて前記所定期間を設定する期間設定手段をさらに備える
ことを特徴とする、請求項３を引用する請求項４に記載の画像形成装置。
【請求項６】
前記制御手段は、前記記憶手段に新たなジョブが記憶された場合、当該新たなジョブが前記判断手段によってユーザ認証を必要とするジョブであると判断された場合に、前記認証手段をユーザ認証が可能な動作状態とする一方、ユーザ認証を必要としないジョブであると判断された場合に、前記認証手段を前記節電状態とする
ことを特徴とする請求項１に記載の画像形成装置。
【請求項７】
前記制御手段は、前記記憶手段に新たなジョブが記憶され、かつ、当該ジョブが前記判断手段によってユーザ認証を必要とするジョブであると判断された場合において、当該ジョブが前記記憶手段に記憶されてからの経過時間が所定の閾値以下である場合に、前記認証手段を前記動作状態とする一方、前記経過時間が所定の閾値を超えている場合には前記認証手段を前記節電状態とする
ことを特徴とする請求項６に記載の画像形成装置。
【請求項８】
前記判断手段によりユーザ認証を必要としないと判断されるジョブとして、ＦＡＸジョブを含む
ことを特徴とする請求項１から請求項７のいずれか１項に記載の画像形成装置。
【請求項９】
前記判断手段によりユーザ認証を必要としないと判断されるジョブとして、パスワード入力を受け付けるパスワード受付手段に対するパスワード入力により前記画像形成装置による画像の形成が許可されるジョブを含む
ことを特徴とする請求項１から請求項８のいずれか１項に記載の画像形成装置。
【請求項１０】
前記認証手段に電力を供給する電力供給手段を備え、
前記制御手段は、前記電力供給手段の動作モードを、通常モードと、前記通常モードよりも供給する電力量の小さい省電力モードと、のいずれかに設定可能であり、
前記認証手段は、前記電力供給手段が前記通常モードである場合に前記動作状態となり、前記電力供給手段が前記省電力モードの場合に前記節電状態となる
ことを特徴とする請求項１から請求項９のいずれか１項に記載の画像形成装置。
【請求項１１】
前記制御手段は、前記認証手段に対して前記認証手段の状態を制御する制御信号を送信可能に構成されており、
前記認証手段は、前記制御信号に基づいて、前記動作状態と、前記動作状態よりも消費電力の小さい前記節電状態と、のいずれかの状態となる
ことを特徴とする請求項１から請求項９のいずれか１項に記載の画像形成装置。
【発明の詳細な説明】
【技術分野】
【０００１】
本発明は、ユーザ認証を行う認証手段を備える画像形成装置に関する。
【背景技術】
【０００２】
従来、画像形成装置にユーザ認証を行う認証手段を設け、ユーザ認証を行った場合に送信したジョブの印刷が開始されるように構成された画像形成装置が用いられている。認証手段としては、例えばユーザのＩＤが記録されたＩＣカードを読み取るカードリーダなどが用いられている。
【０００３】
認証手段を備えた画像形成装置を常時作動させておくことは不要な電力消費に繋がる。そこで、認証手段を備えた画像形成装置の消費電力を節約する技術として、次の特許文献１に示すような技術が開示されている。
【０００４】
特許文献１に記載されたシステムでは、プリンタに認証キーを認証する認証インターフェースを設けている。プリンタは通常省電力モードとなっており、クライアントＰＣが印刷要求を行いプリンタに印刷データが送信されると、プリンタは省電力モードから通常モードへ移行する。そして、認証キーによる認証をした後に、印刷処理を実行する（特許文献１における図２、３参照）。
【０００５】
また特許文献１には、認証キーをプリンタの認証インターフェースにて認証した時点で、プリンタが省電力モードから通常モードへ移行する構成も記載されている（特許文献１における図４、５参照）。
【先行技術文献】
【特許文献】
【０００６】
【特許文献１】特開２００７−１７２４９３号公報
【発明の概要】
【発明が解決しようとする課題】
【０００７】
上記特許文献１に記載された構成では、プリンタの省電力については開示されているものの、認証手段の省電力については考慮されていなかった。例えば、上記特許文献１に記載された前者の構成では、プリンタは印刷データを受信した時点で通常モードに移行する。認証インターフェースを含むユーザ認証のための機構（認証手段）はプリンタの一部であるため、プリンタが通常モードに以降すると同時に作動可能な状態となる。
【０００８】
印刷データの中には、例えば情報漏洩のリスクが小さいなどの理由により、ユーザ認証が不要であるものも存在する。上記プリンタでは、そのような印刷データに基づいて印刷を実行する場合においても認証手段は作動するため、認証手段はその機能が必要でない場合であっても電力を消費し続けることとなる。
【０００９】
また、上記特許文献１に記載された後者の構成では、プリンタ自体は省電力モードであっても、認証キーによる認証を行うために認証手段は起動している必要がある。その結果、認証手段を常時作動させておくか、あるいは認証手段の電源を切っておきユーザが手動で認証手段を起動させる構成が考えられる。しかしながら、認証手段が作動し続ければ認証手段の省電力は達成できない。また、ユーザが認証手段を起動させる場合、ユーザは認証手段が起動するまで待機する必要があり、使い勝手が悪くなるという問題があった。    
【００１０】
本発明の目的は、認証手段の利便性を保ちつつ、消費電力を低減できる画像形成装置を提供することである。
【課題を解決するための手段】
【００１１】
上述した問題を解決するためになされた発明は、被記録媒体に画像を形成する画像形成手段と、上記画像形成手段に画像を形成させるためのジョブを取得する取得手段と、上記取得手段により取得されたジョブを記憶する記憶手段と、上記記憶手段に記憶されているジョブがユーザ認証を必要とするジョブであるか、あるいはユーザ認証を必要としないジョブであるかを判断する判断手段と、ユーザによる所定の操作によってユーザ認証を行う認証手段と、上記ジョブが上記ユーザ認証を必要とする場合には、上記認証手段によりユーザ認証が行われたことを条件として上記画像形成手段に当該ジョブに基づく画像の形成を許可し、上記ジョブが上記ユーザ認証を必要としない場合には、上記認証手段によりユーザ認証が行われたことを条件とすることなく上記画像形成手段に当該ジョブに基づく画像の形成を許可する印刷許可手段と、上記判断手段による判断結果に基づいて、上記認証手段をユーザ認証が可能な動作状態またはユーザ認証が不能な節電状態とする制御手段と、ユーザの操作によって上記認証手段を上記動作状態とするためのスイッチと、を備えることを特徴とする画像形成装置である。 
【００１２】
このように構成された画像形成装置は、記憶手段に記憶されたジョブがユーザ認証を必要とするジョブであるか否かに基づいて認証手段を動作状態および節電状態のいずれかとするものである。
【００１３】
つまり、認証手段によりユーザ認証を行う可能性が高いと考えられる場合には動作状態となるため、ユーザは自ら認証手段を起動させたり、認証手段が認証動作可能な状態となるまで待機したりする必要がなく、スムーズにユーザ認証を行うことができる。また、認証手段によりユーザ認証を行う可能性が低い場合には節電状態となる。従って、上記画像形成装置では認証手段の利便性の維持と消費電力の低減とを実現できる。
【００１４】
なお、上述した画像処理装置とは、例えばプリンタ、ＦＡＸ送受信機、コピー機や、それらの機能を複数有する複合機などが該当する。
また、上述したジョブの一例としては、プリントジョブ、受信したＦＡＸを印刷するプリントジョブなどが該当する。
【００１５】
また、上述した認証装置の一例としては、ＩＣカード等の認証キーに記憶された情報を読み取るカードリーダ等の情報読み取り装置が該当する。
また、上記制御手段が、上記記憶手段に記憶されているジョブについて、上記判断手段によってユーザ認証を必要とするジョブであると判断された場合に、上記認証手段を上記動作状態とする一方、上記判断手段によってユーザ認証を必要としないジョブであると判断された場合に、上記認証手段を上記節電状態とするように構成してもよい。
【００１６】
このように構成された画像形成装置では、記憶手段に記憶されたジョブがユーザ認証を必要とするジョブ、即ちユーザ認証が行われる可能性が高いと考えられるジョブであれば認証手段を動作状態とし、上記ジョブがユーザ認証を必要としないジョブであれば認証手段が節電状態となるため、利便性の維持と消費電力の低減を実現できる。
【００１７】
また、上記記憶手段に記憶されているジョブが有するユーザ情報を取得するユーザ情報取得手段と、上記ユーザ情報取得手段により取得されたユーザ情報に基づいて、上記記憶手段に記憶されている全てのジョブのうち、上記判断手段によってユーザ認証を必要とするジョブであると判断された全てのジョブに対応するユーザ数をカウントするユーザ数カウント手段と、をさらに備え、上記制御手段が、上記記憶手段に記憶されているジョブについて、上記判断手段によってユーザ認証を必要とするジョブであると判断された場合において、上記ユーザ数カウント手段によりカウントされたユーザ数が所定の閾値以上である場合に、上記認証手段を上記動作状態とする一方、上記ユーザ数が所定の閾値未満である場合に、上記認証手段を上記節電状態とするように構成してもよい。
【００１８】
このように構成された画像形成装置において、記憶手段に記憶されているジョブのうち、ユーザ認証を必要とするジョブに対応するユーザ数が多ければ認証手段が使用される可能性が高くなると考えられ、ユーザ数が少なければその可能性は低くなると考えられる。従って上記画像形成装置であれば、認証手段が使用される可能性が高い場合に認証手段を動作状態とし、可能性が低い場合に節電状態とすることで、上記ユーザ数に応じて認証手段の動作状態と節電状態との切り替えを適切に行って、認証手段の利便性の維持と消費電力の低減とを実現できる。
【００１９】
また、上記認証手段によりユーザ認証を行った最新のタイミングからの経過時間をカウントする経過時間カウント手段をさらに備え、上記制御手段が、上記経過時間カウント手段によりカウントされた経過時間が所定期間を超えた場合に、上記認証手段を上記節電状態としてもよい。
【００２０】
このように構成された画像形成装置では、ユーザ認証を行ってから時間が経過し、認証手段が使用される可能性が低くなったと考えられる場合に節電状態とすることができるため、適切に消費電力の低減を実現できる。
【００２１】
また、上記ユーザ数カウント手段によりカウントされたユーザ数に応じて上記所定期間を設定する期間設定手段をさらに備えてもよい。
記憶手段に記憶されているジョブのうち、ユーザ認証を必要とするジョブに対応するユーザ数に応じて、認証手段が使用される可能性は変化すると考えられる。よって、上記画像形成装置であれば、ユーザ数に応じて適切に上記所定期間を設定できる。
【００２２】
また、上記制御手段が、上記記憶手段に新たなジョブが記憶された場合、当該新たなジョブが上記判断手段によってユーザ認証を必要とするジョブであると判断された場合に、上記認証手段を上記動作状態とする一方、ユーザ認証を必要としないジョブであると判断された場合に、上記認証手段を上記節電状態としてもよい。
【００２３】
このように構成された画像形成装置では、新に記憶手段に記憶されたジョブがユーザ認証を必要とするジョブであれば認証手段が動作状態となるため、ユーザは自ら認証手段を起動させたり、認証手段が認証動作可能な状態となるまで待機したりする必要がなく、スムーズにユーザ認証を行うことができる。また、上記ジョブがユーザ認証を必要としないジョブであれば認証手段が節電状態となるため、消費電力の低減を実現できる。
【００２４】
また、上記制御手段が、上記記憶手段に新たなジョブが記憶され、かつ、当該ジョブが上記判断手段によってユーザ認証を必要とするジョブであると判断された場合において、当該ジョブが前記記憶手段に記憶されてからの経過時間が所定の閾値以下である場合に、上記認証手段を上記動作状態とする一方、上記経過時間が所定の閾値を超えている場合には上記認証手段を上記節電状態としてもよい。
【００２５】
このように構成された画像形成装置において、新に記憶手段に記憶されたジョブがユーザ認証を必要とするジョブである場合、ジョブが記憶されてからの経過時間が短ければ、ユーザ認証が行われる可能性が高いと考えられ、上記経過時間が長ければ、ユーザ認証が行われる可能性が低いと考えられるため、経過時間に応じて認証手段の動作状態と節電状態との切り替えを適切に行って、認証手段の利便性の維持と消費電力の低減とを実現できる。
【００２６】
また、上記判断手段によりユーザ認証を必要としないと判断されるジョブとして、ＦＡＸジョブを含んでもよい。
ＦＡＸジョブは外部から送信されることが多く、送信元からいつ送信されるかが分からない場合も多い。よって、ユーザがＦＡＸジョブの受信後にすぐ印刷を行う可能性、すなわち、すぐユーザ認証を行う可能性が低いと考えられる。よって、上記画像形成装置であれば、ＦＡＸジョブを記憶したことに基づいて認証手段を作動させることがなく、適切に消費電力の低減を実現できる。
【００２７】
また、上記判断手段によりユーザ認証を必要としないと判断されるジョブとして、パスワード入力を受け付けるパスワード受付手段に対するパスワード入力により上記画像形成装置による画像の形成が許可されるジョブを含んでもよい。
【００２８】
パスワード入力により画像の形成が許可されるジョブは、ユーザ認証を必要とする可能性が低いと考えられる。よって、上記画像形成装置であれば、そのようなジョブを記憶したことに基づいて認証手段を作動させることがなく、適切に消費電力の低減を実現できる。
【００２９】
また、上記認証手段に電力を供給する電力供給手段を備え、上記制御手段は、上記電力供給手段の動作モードを、通常モードと、上記通常モードよりも供給する電力量の小さい省電力モードと、のいずれかに設定可能であり、上記認証手段は、上記電力供給手段が上記通常モードである場合に上記動作状態となり、上記電力供給手段が上記省電力モードの場合に上記節電状態となるように構成してもよい。
【００３０】
このように構成された画像形成装置であれば、認証手段への電力供給を制御することで、認証手段を動作状態と節電状態とに切り替えることができる。
また、上記制御手段が、上記認証装置に対して上記認証装置の状態を制御する制御信号を送信可能に構成されており、上記認証手段が、上記制御信号に基づいて、上記動作状態と、上記動作状態よりも消費電力の小さい上記節電状態と、のいずれかの状態となるように構成してもよい。
【００３１】
このように構成された画像形成装置であれば、認証手段に制御信号を送信することにより、認証手段を動作状態と節電状態とに切り替えることができる。
【図面の簡単な説明】
【００３２】
【図１】プリンタの構成を表すブロック図
【図２】電源制御装置による電力供給の構成を示すブロック図
【図３】ジョブのデータ内容を示す図
【図４】ストレージに記憶されるジョブ情報を示す図
【図５】電源制御処理の処理手順を示すフローチャート
【図６】電源ＯＦＦ判断処理の処理手順を示すフローチャート
【図７】ユーザ管理テーブルを示す図
【図８】（Ａ）が電源をＯＦＦにすると判断する条件を示す表、（Ｂ）が電源をＯＮにすると判断する条件を示す表
【図９】電源ＯＮ判断処理の処理手順を示すフローチャート
【図１０】電源制御処理の処理手順を示すフローチャート
【発明を実施するための形態】
【００３３】
以下に本発明の実施形態を図面と共に説明する。
［実施例１］
（１）プリンタの構成
図１は、本実施例のプリンタ１の構成を表すブロック図である。プリンタは１ネットワークプリンタ機能とファクシミリ機能などを備えた装置であり、制御装置１１、印刷処理装置１３、表示・入力装置１５、ＮＣＵ（Ｎｅｔｗｏｒｋ  Ｃｏｎｔｒｏｌ  Ｕｎｉｔ）１７、ネットワークインタフェース１９、電源制御装置２１、ストレージ２３、認証情報入力装置２５、読取処理装置３９などを備える。
【００３４】
制御装置１１は、ＣＰＵ３１と、ＣＰＵ３１が実行するプログラム等を記憶するＲＯＭ３３と、ＣＰＵ３１によるプログラム実行時に作業領域として使用されるＲＡＭ３５と、電気的にデータ書換可能なフラッシュメモリ、ＥＥＰＲＯＭ等の不揮発性メモリとしてのＮＶＲＡＭ３７などを備え、プログラムの実行によりプリンタ１を統括制御してプリンタ１の各機能を実現する。
【００３５】
制御装置１１とプリンタ１を構成する各装置とは、直線で示されるバス２７を介して電気的に接続されている。
この制御装置１１は周知のリアルタイムクロック（図示しない）を備えており、現在時刻を知ることができる。また、認証情報入力装置２５において最後にユーザ認証を行った時刻を記憶している。
【００３６】
また、ＮＶＲＡＭ３７には図７に示すユーザ管理テーブルが記録されている。このユーザ管理テーブルの詳細については後述する。
印刷処理装置１３は、制御装置１１に制御されて、給紙トレイから用紙等の被記録媒体を取り出し、この用紙に、画像を形成させるためのジョブの印刷データに基づく画像を形成する（以降、この処理のことを単に印刷ともいう）。制御装置１１は、ジョブがユーザ認証あるいはパスワード入力を必要とする場合には、認証情報入力装置２５によりユーザ認証が行われたこと、あるいは表示・入力装置１５にパスワード入力が行われたことを条件として当該ジョブに基づく印刷を印刷処理装置１３に許可する。ジョブがユーザ認証およびパスワード入力を必要としない場合には、ユーザ認証やパスワード入力を条件とすることなく印刷が許可される。
【００３７】
表示・入力装置１５は、液晶ディスプレイおよびその表示面に配置されたタッチパネルで構成され、制御装置１１の出力に応じて各種情報を表示すると共に、タッチパネルの操作により利用者から入力されたプリンタ１に対する操作情報を制御装置１１に入力する。
【００３８】
ＮＣＵ１７は、プリンタ１と公衆通信網とを接続するための装置であり、公衆通信網に接続された外部のファクシミリ送受信機と接続してファクシミリデータの送受信を行う。
ネットワークインタフェース１９は、プリンタ１がＬＡＮを介して複数のコンピュータシステムと相互にデータ通信を行うための周知のインターフェース装置であって、ＬＡＮから受信したプリンタ１宛のデータを制御装置１１に入力する。
【００３９】
電源制御装置２１は、図２に示すように、プリンタ１を構成する各装置に対して破線で示される電源制御線２９を介して電力を供給する装置である。またこの電源制御装置２１は制御装置１１の制御に応じて、認証情報入力装置２５がユーザ認証を行うことが可能な電力量を供給する通常モードと、認証情報入力装置２５への電力の供給を停止する省電力モードと、のいずれかに切り替えるように構成されている。
【００４０】
この他、電源制御装置２１は、印刷処理を開始する際に印刷処理装置１３への電力の供給を開始し、印刷処理を終了してから所定時間経過すると印刷処理装置１３への電力の供給を停止する。同様に、電源制御装置２１は、読取処理を開始する際に読取処理装置３９への電力の供給を開始し、読取処理を終了してから所定時間経過すると読取処理装置３９への電力の供給を停止する。
【００４１】
このように、電源制御装置２１はプリンタ１を構成する装置ごとに決められたタイミングで、それぞれの装置の電力の供給を切り換えることができる。
ストレージ２３は、ハードディスクドライブ等の記憶装置であって、制御装置１１の制御に応じて、ＮＣＵ１７、ネットワークインタフェース１９を介して受信したジョブの情報を記憶したり読み出したりする。ストレージ２３に記憶されたジョブを、以降、登録ジョブという。登録ジョブは、そのジョブに基づく印刷処理が実行された後にストレージ２３から削除される。
【００４２】
プリンタ１に送信されるジョブは、図３に示すように、ユーザＩＤ、認証方法、パスワード、プリンタ１に出力した出力時刻、および画像を形成するための印刷データからなるデータである。
【００４３】
ストレージ２３には、図４に示すジョブの情報が記憶される。記憶されるジョブの情報は、図３に示す各情報のほか、ジョブごとに与えられる識別番号であるＪｏｂＩＤと、プリンタ１がジョブを受信した受信時刻と、ジョブを受信したインターフェースがネットワークインタフェース１９（Ｎｅｔ）であるかＮＣＵ１７（ＮＣＵ）であるかを示すＩ／Ｆ情報などである。
【００４４】
なお、上述した認証方法としては、ＩＣカードによるユーザ認証を行うカード認証及び、表示・入力装置１５に対してパスワード入力を行うパスワード認証の２種類がある。
ここでいうカード認証を必要とするジョブとは、印刷を許可するためにＩＣカードによるユーザ認証が必要なＳｅｃｕｒｅＰｒｉｎｔＪｏｂ、または、受信したＦＡＸの印刷を許可するためにＩＣカードによる認証が必要なＳｅｃｕｒｅＦＡＸＪｏｂである。一方、パスワード認証に該当するジョブとは、印刷を許可するために表示・入力装置１５に対してパスワード入力が必要なジョブである。なお、カード認証、パスワード認証の両方に該当するジョブは、いずれか一方を用いることで印刷が許可される。なお、本実施例におけるＩＣカードを用いたユーザ認証が、本発明におけるユーザ認証に相当する。
【００４５】
認証情報入力装置２５は、ユーザが携帯する図示しないＩＤカードに記憶されている情報を読み取るためのカードリーダを備える装置である。ユーザが携帯するＩＤカードは、例えば非接触型ＩＣタグや磁気カード等で構成されており、当該ユーザを認証するためのユーザＩＤを記憶している。
【００４６】
認証情報入力装置２５は、カードリーダに挿入あるいは接触されたＩＤカードに記録されているユーザＩＤを読み取り、その読み取ったユーザＩＤを制御装置１１へ入力する。制御装置１１は認証情報入力装置２５から送信されてきたユーザＩＤによってユーザ認証を行う。なお、本実施例においては、ストレージ２３に記憶されている登録ジョブの中から、ユーザ認証を行ったユーザのユーザＩＤと同一のユーザＩＤを有する登録ジョブを抽出し、当該登録ジョブに基づく印刷処理を許可し、印刷処理装置１３に印刷処理を実行させる。
【００４７】
なお、この認証情報入力装置２５は、電源制御装置２１が通常モードであり、電源制御装置２１からの電力供給がある場合にはユーザ認証が可能な電源ＯＮ状態、すなわち、本発明における動作状態となる。また、電源制御装置２１が省電力モードであり、電力供給が停止されるとユーザ認証が不能な電源ＯＦＦ状態、すなわち、本発明における節電状態となる。
【００４８】
この認証情報入力装置２５には手動で電源を投入するスイッチが設けられており、当該スイッチがユーザに押されると電源制御装置２１が通常モードとなって認証情報入力装置２５に電力が供給され、ユーザ認証が可能となる。
【００４９】
読取処理装置３９は、制御装置１１に制御されて、原稿を読み取ることで画像データを生成する。生成された画像データはＦＡＸジョブとしてＮＣＵ１７により公衆回線を介して送信先へ送信される。また、生成された画像データはコピージョブとして印刷処理装置１３により用紙に画像が形成される。
【００５０】
（２）認証情報入力装置の電源制御
制御装置１１のＣＰＵ３１によって実行される本発明の特徴的な処理について説明する。
【００５１】
（２−１）電源制御処理
電源制御処理の処理手順を、図５に示すフローチャートに基づいて説明する。本処理は、新規にジョブがストレージ２３に記憶されたタイミング、登録ジョブが削除されたタイミング、印刷指示があったタイミング、本処理を最後に実行してから所定の時間が経過したタイミング、のいずれかにおいて実行される。
【００５２】
なお、登録ジョブが削除されたタイミングとは、プリンタ１とＬＡＮを介して接続するコンピュータシステムを用いてジョブの取り消しを受信したタイミング、または、登録ジョブに基づいて印刷された後に登録ジョブが削除されたタイミングである。また、印刷指示があったタイミングとは、ユーザ認証の後、制御装置１１から印刷処理装置１３に印刷処理の制御信号が送信されたタイミングである。
【００５３】
この電源制御処理では、まず、時間閾値を設定する（Ｓ１）。具体的には、まず、図４に示すストレージ２３に記憶された全ての登録ジョブから、認証方法がカード認証であるジョブを抽出し、それらのジョブに対応するユーザ数をカウントする。図４の場合、カードによるユーザ認証が必要であるジョブはＪｏｂＩＤが１、２、４のものである。ここで、ＪｏｂＩＤが１、４のジョブは同一ユーザによるジョブであるため、上記ジョブに対応するユーザ数は２となる。このようにしてカウントしたユーザ数に基づいて時間閾値を決定する。本実施例では、ユーザ数が１のときに３０秒であり、ユーザ数が１増えるごとに、２０秒づつ加算される。よって、図４に示すジョブ情報の場合は時間閾値が５０秒となる。
【００５４】
次に、認証情報入力装置２５が電源ＯＮ状態であるか否かを判定する（Ｓ２）。
上記Ｓ２において、電源ＯＮ状態であれば（Ｓ２：ＹＥＳ）、電源ＯＦＦ判断処理を実行する（Ｓ３）。この電源ＯＦＦ判断処理の詳細は後述する。
【００５５】
次に、Ｓ３の電源ＯＦＦ判断処理にて電源をＯＦＦすると判断されたか否かを判定し（Ｓ４）、電源をＯＦＦにすると判定されていれば（Ｓ４：ＹＥＳ）、処理がＳ５に移行する。
【００５６】
次に、認証情報入力装置２５の電源を切り（Ｓ５）、即ち、電源制御装置２１からの電力供給をストップして電源ＯＦＦ状態とし、本処理を終了する。
一方、Ｓ３にて電源をＯＦＦにしないと判定されていれば（Ｓ４：ＮＯ）、電源ＯＮ状態としたままで本処理を終了する。
【００５７】
また、上記Ｓ２において電源ＯＮ状態でなければ（Ｓ２：ＮＯ）、即ち電源ＯＦＦ状態であれば、電源ＯＮ判断処理を実行する（Ｓ６）。この電源ＯＮ判断処理の詳細は後述する。
【００５８】
次に、Ｓ６の電源ＯＮ判断処理にて電源をＯＮすると判断されたか否かを判定し（Ｓ７）、電源をＯＮにすると判定されていれば（Ｓ７：ＹＥＳ）、処理がＳ８に移行する。
次に、認証情報入力装置２５の電源を入れ（Ｓ８）、即ち、電源制御装置２１からの電力供給を開始して電源ＯＮ状態とし、本処理を終了する。
【００５９】
一方、Ｓ６にて電源をＯＮにしないと判定されていれば（Ｓ７：ＮＯ）、電源ＯＦＦ状態としたままで本処理を終了する。
（２−２）電源ＯＦＦ判断処理
次に、電源ＯＦＦ判断処理の処理手順を、図６に示すフローチャートに基づいて説明する。本処理は、電源制御処理のＳ３において実行される処理であり、認証情報入力装置２５が電源ＯＮ状態である場合に実行される。
【００６０】
この電源ＯＦＦ判断処理では、まず、登録ジョブのユーザ数をカウントする（Ｓ１１）。具体的には、上記Ｓ１と同様に、図４に示すストレージ２３に記憶された全ての登録ジョブから、カードによるユーザ認証が必要であるジョブを抽出し、それらのジョブに対応するユーザ数をカウントする。
【００６１】
次に、Ｓ１１にてカウントしたユーザ数が所定のユーザ数閾値未満であるか否かを判定する（Ｓ１２）。ユーザ数がユーザ数閾値未満である場合、ユーザ認証が行われる可能性が低いと考えられ、逆にユーザ数閾値以上であれば、ユーザ認証が行われる可能性が高いと考えられる。
【００６２】
Ｓ１２において、Ｓ１１にてカウントしたユーザ数が所定のユーザ数閾値未満であれば（Ｓ１２：ＹＥＳ）、処理がＳ１６に移行する。また、ユーザ数が所定のユーザ数閾値未満でなければ（Ｓ１２：ＮＯ）、最終認証からの経過時間を計測する（Ｓ１３）。最終認証とは認証情報入力装置２５において最新のタイミングで行ったユーザ認証である。具体的には、図７に示されるユーザ管理テーブルをチェックする。ユーザ管理テーブルは、予めプリンタ１に登録されているユーザごとに、最終認証時刻、ＩＣカードによるユーザ認証回数、パスワード入力回数、ジョブのストレージ２３への記憶からＩＣカードによるユーザ認証までの最小時間、が記憶されている。これらの情報は、ユーザによる印刷要求の後、ＩＣカードによるユーザ認証あるいはパスワード入力を行うごとに更新される。そして、履歴を参照し、最終認証時刻が最も遅い時刻から現在時刻までの経過時間を計測する。
【００６３】
次に、最終認証からの経過時間が時間閾値を超えているか否かを判定する（Ｓ１４）。この時間閾値は、上記Ｓ１にて設定された時間であって、ユーザ数が多くなるほど長時間となる。経過時間が所定の時間閾値を超えていれば（Ｓ１４：ＹＥＳ）、Ｓ１６に処理が移行する。また、経過時間が所定の時間閾値を超えていなければ（Ｓ１４：ＮＯ）、電源をＯＦＦにしない（ＯＦＦ＝ＮＯ）と判定し（Ｓ１５）、その後本処理を終了して電源制御処理に戻る。
【００６４】
また、Ｓ１６では、電源をＯＦＦにする（ＯＦＦ＝ＹＥＳ）と判定し、その後本処理を終了して電源制御処理に戻る。
以上のように、本処理では、登録ジョブに対応するユーザ数が所定のユーザ数閾値未満であること、および、最終認証からの時間が所定の時間閾値を超えていること、という２つの条件のいずれか１つでも満たせば電源をＯＦＦにするよう判断する。図８（Ａ）に、電源をＯＦＦにすると判断する条件を示す表を示す。図５のＳ４では、この判断結果に基づいて判定を行う。
【００６５】
（２−３）電源ＯＮ判断処理
次に、電源ＯＮ判断処理の処理手順を、図９に示すフローチャートに基づいて説明する。本処理は、電源制御処理のＳ６において実行される処理であり、認証情報入力装置２５が電源ＯＦＦ状態である場合に実行される。
【００６６】
この電源ＯＮ判断処理では、まず、本処理の前提となる電源制御処理が、新規にジョブがストレージ２３に記憶されたこと（以降、単に新規ジョブ登録ともいう）をトリガとして実行されるものであるか否かを判定する（Ｓ２１）。新規ジョブ登録でなければ（Ｓ２１：ＮＯ）、処理がＳ３１に移行する。
【００６７】
また、上記Ｓ２１において、新規ジョブ登録をトリガとするものであれば（Ｓ２１：ＹＥＳ）、その登録ジョブの種別を判別する（Ｓ２２）。ここでは、図４に示すストレージ２３に記憶された当該新規な登録ジョブ（以降、単に新規ジョブともいう）の情報をチェックする。
【００６８】
そして、Ｉ／Ｆ情報からその新規ジョブがネットワークインタフェース１９経由であるかＮＣＵ１７経由であるか、即ちネットワーク上のコンピュータシステムから送信されたジョブかＦＡＸジョブかを判別する。また、認証方法の情報から、カード認証、パスワード認証にそれぞれ該当しているか否か、即ち、当該ジョブの印刷を許可するためにユーザ認証やパスワード入力が必要であるか、を判別する。
【００６９】
次に、新規ジョブがＦＡＸジョブであるか否かを判定し（Ｓ２３）、ＦＡＸジョブであれば（Ｓ２３：ＹＥＳ）、処理がＳ３１に移行する。一方、ＦＡＸジョブでなければ（Ｓ２３：ＮＯ）、処理がＳ２４に移行する。
【００７０】
次に、新規ジョブが印刷にユーザ認証を必要とするＳｅｃｕｒｅＰｒｉｎｔＪｏｂであるか否かを判定し（Ｓ２４）、ＳｅｃｕｒｅＰｒｉｎｔＪｏｂでなければ（Ｓ２４：ＮＯ）、処理がＳ３１に移行する。一方、新規ジョブがＳｅｃｕｒｅＰｒｉｎｔＪｏｂであれば（Ｓ２４：ＹＥＳ）、処理がＳ２５に移行する。
【００７１】
次に、カード認証可能性が所定の閾値以上であるか否かを判定する（Ｓ２５）。ここでは、新規ジョブの印刷要求を行ったユーザがＩＣカードによるユーザ認証およびパスワード入力のいずれを利用する可能性が高いかを判断する。そのため、新規ジョブがＩＣカードによるユーザ認証のみに対応するジョブ（例えば図４におけるＪｏｂＩＤ２の登録ジョブ）である場合にはパスワード入力の可能性がないので、カード認証可能性が所定の閾値以上であるとして（Ｓ２５：ＹＥＳ）、処理がＳ２６に移行する。
【００７２】
そして、新規ジョブがユーザ認証とパスワード入力の両方に対応している場合においては、図７に示すユーザ管理テーブルをチェックする。
ここでは、ＩＣカードによるユーザ認証を行った回数とパスワード入力を行った回数との合計からＩＣカードによるユーザ認証回数の割合を算出し、所定の閾値（本実施例では７０％）以上の確率でユーザ認証を行う場合には、カード認証可能性大と判定し（Ｓ２５：ＹＥＳ）、処理がＳ２６に移行する一方、所定の閾値未満であればカード認証可能性大ではないと判定し（Ｓ２５：ＮＯ）、処理がＳ３１に移行する。
【００７３】
なお、図７の場合では、新規ジョブのユーザがＵｓｅｒ２、４の場合には所定の閾値以上であると判断し、Ｕｓｅｒ１、３の場合には所定の閾値未満であると判断する。
次に、登録から認証までの時間の履歴をチェックする（Ｓ２６）。ここでは、ユーザ管理テーブルにおける新規ジョブのユーザの「登録から認証までの最小時間」をチェックする。なお、この時間は、ユーザが早期にユーザ認証を行う可能性が高いか否かを判断するためのものであり、本実施例では最小時間を用いているが、最小時間に代えて、登録から認証までの平均時間など、ユーザが早期にユーザ認証を行うか否かを判断するために利用できる他の履歴情報を用いてもよい。
【００７４】
次に、Ｓ２６にてチェックした最小時間が所定の閾値未満であるか否かを判定する（Ｓ２７）。最小時間が所定の閾値未満であれば（Ｓ２７：ＹＥＳ）、処理がＳ３０に移行する。
【００７５】
一方、Ｓ２６にてチェックした最小時間が閾値未満でなければ（Ｓ２７：ＮＯ）、登録ジョブのユーザ数をカウントする（Ｓ２８）。具体的には、上記Ｓ１と同様に、図４に示すストレージ２３に記憶された全ての登録ジョブから、カードによるユーザ認証が必要であるジョブを抽出し、それらのジョブに対応するユーザ数をカウントする。
【００７６】
次に、Ｓ２８にてカウントしたユーザ数が所定のユーザ数閾値を超えているか否かを判定する（Ｓ２９）。このユーザ数閾値はＳ１２で用いた閾値と同じ値であってもよいし、異なる値であってもよい。
【００７７】
Ｓ２９において、ユーザ数がユーザ数閾値を超えていれば（Ｓ２９：ＹＥＳ）、処理がＳ３０に移行し、ユーザ数がユーザ数閾値を超えていなければ（Ｓ２９：ＮＯ）、処理がＳ３１に移行する。
【００７８】
Ｓ３０では、電源をＯＮにする（ＯＮ＝ＹＥＳ）と判定し、その後本処理を終了して電源制御処理に戻る。
また、Ｓ３１では、電源をＯＮにしない（ＯＮ＝ＮＯ）と判定し、その後本処理を終了して電源制御処理に戻る。
【００７９】
以上説明した本電源ＯＮ判断処理における電源をＯＮにすると判断する条件を示す表を図８（Ｂ）に示す。図５のＳ７では、この判断結果に基づいて判定を行う。
（３）効果
本実施例のプリンタ１では、登録ジョブがユーザ認証を必要とするジョブであるか否かに基づいて認証情報入力装置２５に電源を供給するか否かを制御するため、ユーザ認証の利便性向上と、消費電量の低減とを同時に実現できる。
【００８０】
具体的には、ユーザ認証が行われる可能性が高いと考えられる場合、即ち、認証情報入力装置２５が最後に使用されてからの経過時間が設定された時間閾値よりも短い場合、新規ジョブがユーザ認証を必要とするＳｅｃｕｒｅＰｒｉｎｔＪｏｂである場合、ユーザがカード認証を行う可能性が高い場合、ユーザ認証を必要とする登録ジョブに対応するユーザ数が多い場合などの条件に応じて認証情報入力装置２５を電源ＯＮ状態とするため、ユーザは自ら認証情報入力装置２５に電力を供給するための入力操作を行ったり、認証情報入力装置２５においてユーザ認証が可能となるまでの起動時間を待つ必要が無くなり、利便性を向上できる。
【００８１】
また、ユーザ認証が行われる可能性が低いと考えられる場合には認証情報入力装置２５を電源ＯＦＦ状態として、電力供給の無駄を低減することができる。
また、上述した時間閾値はユーザ認証が必要なジョブに対応するユーザ数が多くなるほど長くなる。ユーザ数が多いほど認証情報入力装置２５が使用される可能性が高くなるため、その可能性の高さに応じて電源供給を行うことができる。
【００８２】
［実施例２］
（１）プリンタの構成
実施例２のプリンタは、基本的には実施例１と同様の構成であり、制御装置１１によって行われる処理のみが相違するため、その点を詳細に説明し、同一である点の説明は割愛する。
【００８３】
（２）認証情報入力装置の電源制御
プリンタ１の制御装置１１によって実行される特徴的な処理について説明する。本実施例では、制御装置１１はプリンタ１がジョブを受信可能な状態にあるときは図１０に示す電源制御処理を常時実行している。
【００８４】
この電源制御処理では、まず、登録ジョブのユーザ数をカウントする（Ｓ４１）。具体的には、図４に示すストレージ２３に記憶された全ての登録ジョブから、カードによるユーザ認証が必要であるジョブを抽出し、それらのジョブに対応するユーザ数をカウントする。
【００８５】
次に、Ｓ４１にてカウントしたユーザ数が所定のユーザ数閾値未満であるか否かを判定する（Ｓ４２）。所定のユーザ数閾値未満であれば（Ｓ４２：ＹＥＳ）、Ｓ４６に処理が移行する。一方、所定のユーザ数閾値未満でなければ（Ｓ４２：ＮＯ）、Ｓ４３に処理が移行する。
【００８６】
続くＳ４３では、最後にストレージ２３にジョブが登録されてからの経過時間を計測する。
次に、最後のジョブ登録からの経過時間が所定の時間閾値を超えているか否かを判定する（Ｓ４４）。経過時間が所定の時間閾値を超えていれば（Ｓ４４：ＹＥＳ）、Ｓ４６に処理が移行する。また、経過時間が所定の時間閾値を超えていなければ（Ｓ４４：ＮＯ）、認証情報入力装置２５に電源制御装置２１からの電力供給を行う（Ｓ４５）。既に電力供給を行っていた場合には、そのまま供給を継続する。その後、Ｓ４１に処理が移行する。
【００８７】
またＳ４６では、認証情報入力装置２５への電源制御装置２１からの電力供給を停止する。既に電力供給を停止していた場合には、そのまま停止を継続する。その後、Ｓ４１に処理が移行する。
【００８８】
（３）効果
本実施例のプリンタ１では、ユーザ認証が必要なジョブに対応するユーザ数が所定の閾値以上である場合において認証情報入力装置２５に電力を供給する。ユーザ数が多いほど認証情報入力装置２５が使用される可能性が高くなるため、その可能性の高さに応じて電源供給を行うことができる。上記閾値は固定の値であってもよいし、状況に応じて変化するように構成してもよい。例えば時刻や曜日に応じて変化させることが考えられる。また、閾値を「０」とし、１つの登録ジョブでもユーザ認証が必要であれば認証情報入力装置２５に電源が供給されるように構成してもよい。
【００８９】
また、最後にジョブがストレージ２３に記憶されてからの経過時間が所定の閾値を超えたときに電力の供給を停止するため、プリンタ１への印刷要求（ジョブの送信）が長時間行われない場合には認証情報入力装置２５の作動を抑制する。印刷要求が長時間ない場合はユーザ認証が行われる可能性が低いので、適切に消費電力の低減を実現できる。
【００９０】
［変形例］
以上、本発明の実施例について説明したが、本発明は、上記実施例に何ら限定されることはなく、本発明の技術的範囲に属する限り種々の形態をとり得ることはいうまでもない。
【００９１】
例えば、上記実施例においては、制御装置１１が電源制御装置２１から認証情報入力装置２５に供給される電力を制御することで認証情報入力装置２５を電源ＯＮ状態と電源ＯＦＦ状態のいずれかに制御する構成を例示したが、制御装置１１が制御信号を認証情報入力装置２５に送信して、認証情報入力装置２５の状態を認証可能な動作状態と認証不能な節電状態とに切り替える構成であってもよい。
【００９２】
また、上記実施例においては、節電状態の場合には電源の供給を行わない構成を例示したが、電源の供給量を低減する構成であってもよい。
また、上記実施例においては、認証情報入力装置２５を電源ＯＮ状態とするか電源ＯＦＦ状態とするかを、複数の条件を組み合わせて判断する構成を例示したが、その条件の組み合わせは上記実施例に記載したものに限定されない。
【００９３】
例えば上記実施例１では、図９のＳ２３において新規ジョブがＦＡＸジョブの場合は電源ＯＮ状態としない構成を例示したが、Ｓ２３の処理を行わず、新規ジョブがＦＡＸジョブであっても認証が必要であればＳ２４以降の処理を実行するように構成することが考えられる。
【００９４】
また、パスワード入力によって印刷が許可されるジョブは、ユーザ認証による印刷が可能であっても、電源ＯＮ状態としないように構成してもよい。
【符号の説明】
【００９５】
１…プリンタ、１１…制御装置、１３…印刷処理装置、１５…表示・入力装置、１７…ＮＣＵ、１９…ネットワークインタフェース、２１…電源制御装置、２３…ストレージ、２５…認証情報入力装置、２７…バス、２９…電源制御線、３１…ＣＰＵ、３３…ＲＯＭ、３５…ＲＡＭ、３７…ＮＶＲＡＭ、３９…読取制御装置
【図１】
0005440533.tif 000002
【図２】
0005440533.tif 000003
【図３】
0005440533.tif 000004
【図５】
0005440533.tif 000005
【図６】
0005440533.tif 000006
【図９】
0005440533.tif 000007
【図１０】
0005440533.tif 000008
【図４】
0005440533.tif 000009
【図７】
0005440533.tif 000010
【図８】
0005440533.tif 000011